(57)【特許請求の範囲】
【請求項１】
車両フロアと車両用シートとの間に設けられると共に、車両上下方向に貫通するシート固定用の開口部が形成された上壁部が車両フロアよりも高い位置に配置され、当該開口部よりも車両後方側に前記車両フロアとの結合部が設けられた第一ブラケットと、
前記第一ブラケットにおける前記開口部の裏面に結合される第二フランジ部を有していると共に、前記車両用シートのシートクッションの裏面に取り付けられて車両下側へ向けて突出するシートロックが解除可能に係合されかつ前記開口部の車両下方側に設けられるシートストライカが前記第二フランジ部と連続的に形成された延設部に取り付けられた第二ブラケットと、
を有する車両フロア構造。
【発明の詳細な説明】
【技術分野】
【０００１】
本発明は、車両フロア構造に関する。
【背景技術】
【０００２】
下記特許文献１には、シート用ストライカブラケットの取付構造が開示されている。具体的には、車両用シートのシートロックが係合されるシートストライカを設けたストライカブラケットと、車両フロア上に設けられたメンバと、を有している。このメンバと車両フロアとは、車両上下方向に結合されている。また、メンバの車両上側にストライカブラケットが設けられており、メンバとストライカブラケットとはそれぞれに形成された略車両上下方向に沿って延設された縦壁同士で結合されている。したがって、車両前面衝突時（以下、この衝突形態を「車両前突時」という）に、シートロックを介してシートストライカに作用する車両前後方向前側かつ車両上下方向上側に作用する衝突荷重は、メンバとストライカブラケットとの結合部分に対して結合強度的に有利な剪断方向に作用するため、衝突荷重は確実にメンバ及び車両フロアへと伝達される。
【先行技術文献】
【特許文献】
【０００３】
【特許文献１】特開２００７−１２５９５４号公報
【発明の概要】
【発明が解決しようとする課題】
【０００４】
しかしながら、特許文献１に開示された構成によると、ストライカブラケットとメンバとは、縦壁同士で結合されていることから衝突荷重に対して結合強度が強いため、衝突荷重に対して結合強度が比較的低いメンバと車両フロアとの結合部に衝突荷重が集中する。このため、メンバが車両フロアに対して剥離する可能性があり、上記先行技術はこの点で改良の余地がある。
【０００５】
本発明は上記問題を考慮し、車両前突時に車両フロアとこれに取り付けられた部材との剥離を抑制することができる車両フロア構造を得ることを目的とする。
【課題を解決するための手段】
【０００６】
請求項１記載の発明に係る車両フロア構造は、車両フロアと車両用シートとの間に設けられると共に、車両上下方向に貫通するシート固定用の開口部が形成された上壁部が車両フロアよりも高い位置に配置され、当該開口部よりも車両後方側に前記車両フロアとの結合部が設けられた第一ブラケットと、前記第一ブラケットにおける前記開口部の裏面に結合される第二フランジ部を有していると共に、前記車両用シートのシートクッションの裏面に取り付けられて車両下側へ向けて突出するシートロックが解除可能に係合されかつ前記開口部の車両下方側に設けられるシートストライカが前記第二フランジ部と連続的に形成された延設部に取り付けられた第二ブラケットと、を有している。
【０００７】
請求項１記載の発明によれば、第一ブラケットに形成された開口部の裏面に第二ブラケットが結合されている。この第二ブラケットには、シートロックが係合されるシートストライカが取り付けられていることから、車両前突時、シートロックを介してシートストライカに作用する衝突荷重は、第二ブラケットへ作用する。衝突荷重は、車両前後方向前側かつ車両上下方向上側へ向かって作用することから、第二ブラケットは車両前後方向前側かつ車両上下方向上側へ第一ブラケットに押し付けられるように変位する。さらに衝突荷重が第二ブラケットに作用すると、第二ブラケットは剛性の比較的低い開口部を押し広げるように略車両上下方向上側へと変位し、これに伴って第二ブラケットが変形する。この第二ブラケットの変形によって衝突荷重が吸収されるので、第一ブラケットが車両フロアへ結合された部位への衝突荷重の入力が抑制される。特に、開口部より車両後方側の結合部には、衝突荷重が結合を剥離させる方向に作用するが、衝突荷重の入力が抑制されることで開口部より車両後方側の結合部が車両フロアと剥離するのを抑制することができる。
【発明の効果】
【０００８】
請求項１記載の本発明に係る車両フロア構造は、車両前突時に車両フロアとこれに取り付けられた部材との剥離を抑制することができるという優れた効果を有する。
【図面の簡単な説明】
【０００９】
【図１】一実施形態に係る車両フロア構造を備えた車両フロアを示す平面図である。
【図２】一実施形態に係る車両フロア構造を備えた車両フロアを車両前方から車両後方へ向かって見た状態を示す斜視図である。
【図３】一実施形態に係る車両フロア構造を備えた車両フロアを車両内側から車両外側へと見た状態を示す斜視図である。
【図４】（Ａ）は図１のＡ−Ａ線に沿って切断した状態を示す拡大断面図であり、（Ｂ）は（Ａ）に対し車両前突時の状態を示す拡大断面図である。
【図５】（Ａ）は対比例に係る車両フロア構造を備えた車両フロアを車両上下方向に沿って切断した状態を示す拡大断面図であり、（Ｂ）は（Ａ）に対し車両前突時の状態を示す拡大断面図である。
【発明を実施するための形態】
【００１０】
以下、図１〜４を用いて、本発明に係る車両前部構造の一実施形態について説明する。なお、これらの図において示される矢印ＦＲは車両前後方向前側、矢印ＯＵＴは車両幅方向外側、矢印ＵＰは車両上下方向上側をそれぞれ示す。
【００１１】
図１に示されるように、車両１０の床部を構成する車両フロア１２上には、リヤシートとして車両用シート１４が設けられている。この車両用シート１４は、乗員が着座するシートクッション１６と、このシートクッション１６の車両前後方向後側に図示しないリクライニング機構を介して取り付けられるシートバック１８と、を有している。
【００１２】
シートクッション１６には、図示しない跳ね上げ機構が設けられている。この跳ね上げ機構によって、シートクッション１６は後端部を中心に前端部が略車両上下方向に回動するように作動可能とされている。
【００１３】
シートクッション１６の裏面側かつ車両前後方向略中央部には、後述するシートストライカ２０と係合自在に係合されるシートロック２２（図３参照）が取付けブラケット２４を介して車両前後方向に回動可能に取り付けられている。このシートロック２２は、左右一対に設けられており、シートクッション１６の裏面から略車両上下方向下側へ突出されている。また、シートロック２２は、車両上下方向下側に係止部２６を有している。この係止部２６は、車両前後方向前側へ延設された形状とされている。つまり、車両側面視でシートロック２２は略Ｌ字状に形成されている。なお、このシートロック２２は、図示しないレバー操作によって取付けブラケット２４に対し車両前後方向に回動可能とされている。
【００１４】
図２に示されるように、車両用シート１４と車両フロア１２との間には、第一ブラケット２５が設けられている。この第一ブラケット２５は、車両フロア１２における図示しない燃料タンクが設けられる部位の車両前後方向前側に取り付けられている。つまり、車両フロア１２の立ち上がり部２８の前側に取り付けられている。第一ブラケット２５は、車両平面視で略矩形状に形成されていると共に、図４（Ａ）に示されるように、前壁部３０と上壁部３２とで車両幅方向に直交する断面が略Ｌ字状に形成されている。
【００１５】
前壁部３０の下端部３４には、フランジ３６が形成されている、このフランジ３６は、車両前後方向前側に向かって延設されており、車両フロア１２の車両上側面と溶接によって結合されている。
【００１６】
上壁部３２は、結合部としての後端部３８が車両フロア１２の立ち上がり部２８における車両上下方向上側に設けられた立ち上がり上壁部３９に車両上側から重なるように溶接によって結合されている。したがって、上壁部３２は車両フロア１２と車両上下方向で離間して設けられている。これにより、第一ブラケット２５と車両フロア１２との間には車両側面視で略矩形状の空間４０が形成されている。
【００１７】
上壁部３２の車両前後方向における略中心部には、開口部４２が形成されている。この開口部４２は、車両平面視で車両前後方向を長手方向とする略矩形状に形成されかつ板厚方向で貫通された開口４４を有している。なお、この開口４４は、シートロック２２が内部に挿通させることが可能なサイズに設定されている（図３参照）。
【００１８】
第一ブラケット２５の開口部４２の裏面には、第二ブラケット４５が設けられている。第二ブラケット４５は、車両平面視で車両前後方向を長手方向とする略矩形状に形成されていると共に（図２参照）、車両幅方向に直交する断面形状は、略車両上下方向に沿って延設された側壁部４６と、側壁部４６の車両下側の端部に設けられた底壁部４８と、側壁部４６の車両上側の端部から第一ブラケット２５の裏面に沿って開口４４から離間する方向に延設された第二フランジ部５０を有している。つまり、第二ブラケット４５は、車両幅方向に直交する断面及び車両前後方向に直交する断面が略ハット型形状とされている。なお、第二フランジ部５０は、第二ブラケット４５の外周部として連続して形成されている。この第二フランジ部５０が開口部４２の裏面に溶接によって結合されている。また、第二フランジ部５０と側壁部４６との境界部４７は開口部４２の端部４３と車両上下方向で略対向となる位置に配置されている。
【００１９】
底壁部４８の略中央には、貫通孔５２が形成されている。この貫通孔５２は、車両平面視で車両前後方向を長手方向とする略矩形状に形成されている。また、貫通孔５２は、シートロック２２の係止部２６が挿通可能なサイズに設定されている。
【００２０】
第二ブラケット４５には、シートストライカ２０が設けられている。このシートストライカ２０は、車両幅方向を軸方向とする円柱状に形成されており、車両幅方向両端部が第二ブラケット４５に形成されている車両幅方向に沿って互いに離間する方向に延設された延設部５６に溶接によってそれぞれ結合されている（図２参照）。
【００２１】
シートストライカ２０とシートロック２２とは、係合自在に係合される構成とされている。具体的には、シートロック２２が車両前後方向で回動することでシートロック２２の係止部２６の車両上下方向上側にシートストライカ２０が配置される。シートロック２２は図示しない付勢手段によって車両前後方向前側へと付勢されていることから、シートストライカ２０と当接した状態が維持される。これにより、シートロック２２ひいてはシートクッション１６の変位が抑制されて、シートクッション１６を乗員着座状態に維持することができる。なお、前述のとおり図示しない操作レバーによってシートロック２２を車両前後方向後側へ回動させると、係止部２６とシートストライカ２０との当接状態は解除されるのでシートクッション１６を跳ね上げることができる。
【００２２】
以上の構成により、シートストライカ２０と第一ブラケット２５とは、第二ブラケット４５を介して結合されており、直接結合されていない。また、第二ブラケット４５と車両フロア１２とは、第一ブラケットを介して結合されており、直接結合されていない。
【００２３】
次に、本実施形態の作用並びに効果を説明する。
【００２４】
ここで、図５に示される対比例を用いながら、本実施形態の作用並びに効果を説明することにする。なお、本実施形態と同一構成部分については同一番号を付してその説明を省略する。
【００２５】
図５（Ａ）に示されるように、車両用シート１４と車両フロア１２との間には、第一ブラケット１００が設けられている。この第一ブラケット１００は、車両フロア１２における図示しない燃料タンクが設けられる部位の車両前後方向前側に取り付けられている。つまり、車両フロア１２の立ち上がり部２８の前側に取り付けられている。第一ブラケット１００は、車両平面視で略矩形状に形成されていると共に、前壁部３０と上壁部１０２とで車両幅方向に直交する断面が略Ｌ字状に形成されている。
【００２６】
上壁部１０２は、後端部１０４が車両フロア１２の立ち上がり部２８における車両上下方向上側に設けられた立ち上がり上壁部３９に車両上側から重なるように溶接によって結合されている。したがって、上壁部１０２は車両フロア１２と車両上下方向で離間して設けられている。これにより、第一ブラケット１００と車両フロア１２との間には車両側面視で略矩形状の空間４０が形成されている。
【００２７】
上壁部１０２の車両前後方向における略中心部には、開口部１０６が形成されている。この開口部は、車両平面視で車両前後方向を長手方向とする略矩形状に形成されかつ板厚方向で貫通された開口１０８を有している。
【００２８】
第一ブラケット１００の開口部１０６の裏面には、シートストライカ２０が取り付けられている。このシートストライカ２０は、車両幅方向両端部が開口部１０６の裏面に溶接によってそれぞれ結合されている。
【００２９】
車両用シート１４が通常状態時、すなわち乗員着座状態にある場合、シートクッション１６の裏面に設けられたシートロック２２は、シートストライカ２０と係合されている。この状態で、車両前突時には、車両用シート１４に作用する慣性や車両用シート１４の車両後側にある荷物等が車両用シート１４に当たることで、車両用シート１４には車両前後方向前側かつ車両上下方向上側へ変位する衝突荷重Ｆが作用する（図３参照）。これにより、シートロック２２にも車両前後方向前側かつ車両上下方向上側へ変位する衝突荷重Ｆが作用することで、シートロック２２と係合したシートストライカ２０ひいては上壁部１０２に車両前後方向前側かつ車両上下方向上側へ衝突荷重Ｆが作用する。これによって、第一ブラケット１００は大きく変形し、図５（Ｂ）に示されるように、上壁部１０２が車両フロア１２の立ち上がり上壁部３９に結合された部位に剥離する方向で衝突荷重Ｆが作用することで、上壁部１０２ひいては第一ブラケット１００が車両フロア１２から剥離する可能性がある。
【００３０】
これに対し、本実施形態では、図４（Ａ）に示されるように、第一ブラケット２５に形成された開口部４２の裏面に第二ブラケット４５が結合されている。この第二ブラケット４５には、シートロック２２が係合されるシートストライカ２０が結合されていることから、車両前突時、シートロック２２を介してシートストライカ２０に作用する衝突荷重Ｆ（図３参照）は、第二ブラケット４５へ作用する。衝突荷重Ｆは、略車両上下方向上側へ向かって作用することから、第二ブラケット４５は略車両上下方向上側へ第一ブラケット２５に押し付けられるように変位する。さらに衝突荷重Ｆが第二ブラケット４５に作用すると、図４（Ｂ）に示されるように、第二ブラケット４５は剛性の比較的低い開口部４２を押し広げるように略車両上下方向上側へと変位し、これに伴って第二ブラケット４５とが変形する。この開口部４２の変形及び第二ブラケット４５の変形によって衝突荷重Ｆが吸収されるので、第一ブラケット２５が車両フロア１２へ結合された部位への衝突荷重Ｆの入力が抑制される。特に、開口部４２より車両後方側の後端部３８には、衝突荷重Ｆが結合を剥離させる方向に作用するが、衝突荷重Ｆの入力が抑制されることで開口部４２より車両後方側の後端部３８が車両フロア１２と剥離するのを抑制することができる。これにより、車両前突時に車両フロア１２とこれに取り付けられた第一ブラケット２５との剥離を抑制することができる。
【００３１】
また、第二ブラケット４５は、断面が略ハット型形状とされている。つまり、衝突荷重Ｆが作用する方向に対して変形し辛い側壁部４６と、衝突荷重Ｆが作用する方向に対して比較的変形しやすい第二フランジ部５０とを有した構成となる。したがって、衝突荷重Ｆが作用したときに側壁部４６と第二フランジ部５０との境界部４７に衝突荷重Ｆが集中する。これによって、境界部４７から第二ブラケット４５の変形を促進することができるので、より確実に第二ブラケット４５を変形させて衝突荷重Ｆを吸収させることができる。
【００３２】
なお、本実施形態では、車両用シート１４はリヤシートとしたが、これに限らず、３列シートを有する車両における２列目シートや、キャブオーバー車のフロントシート等その他のシートとしてもよい。
【００３３】
また、本実施形態における第一ブラケット２５は車両側面視で略Ｌ字状の形状とされているが、これに限らず、略ハット型形状として平面状の車両フロアに取り付けられる構造としてもよい。
【００３４】
以上、本発明の実施形態について説明したが、本発明は、上記に限定されるものでなく、その主旨を逸脱しない範囲内において上記以外にも種々変形して実施することが可能であることは勿論である。
【符号の説明】
【００３５】
１２   車両フロア
１４   車両用シート
１６   シートクッション
２０   シートストライカ
２２   シートロック
２５   第一ブラケット
３２   上壁部
３８   後端部（結合部）
４２   開口部
４５   第二ブラケット
【図１】
0006299615.tif 000002
【図２】
0006299615.tif 000003
【図３】
0006299615.tif 000004
【図４】
0006299615.tif 000005
【図５】
0006299615.tif 000006